(57)【要約】【課題】本発明は、ユーザー（作業者）と有無線設備との間のインターフェースのためのＩｏＴ統合型データ処理装置を提供する。【解決手段】本発明による有無線設備のインターフェースのためのＩｏＴ統合型データ処理装置は、外部に接続された電源及びデータケーブルが結合される本体と、前記本体に選択的に結合され、無線でデータを送受信する通信部と、前記本体と通信部との間又は通信部を構成する複数の通信モジュールの間を着脱可能に結合させる結合部と、を含んで構成される。【選択図】図１
2018129794.tif 000002
【特許請求の範囲】
【請求項１】
外部に接続された電源及びデータケーブルが結合される本体と、
前記本体に選択的に結合され、無線でデータを送受信する通信部と、
前記本体と前記通信部との間又は前記通信部を構成する複数の通信モジュールの間を着脱可能に結合させる結合部と、
を含むことを特徴とする有無線設備のインターフェースのためのＩｏＴ統合型データ処理装置。
【請求項２】
前記本体は、
電力装置の内部に結合され、前記内部の温度、湿度、アーク、電流、電圧、火災、地震データを受けて前記通信部に伝達することを特徴とする、請求項１に記載の有無線設備のインターフェースのためのＩｏＴ統合型データ処理装置。
【請求項３】
前記通信部は、
ＲＳ−２３２、ＲＳ−４２２、及びＲＳ−４８５のうちの一つのインターフェースを使用する第１通信モジュール、
Ｗｉ−Ｆｉインターフェースを使用する第２通信モジュール、
ＣＤＭＡインターフェースを使用する第３通信モジュール、
ブルートゥースインターフェースを使用する第４通信モジュール、及び
ジグビーインターフェースを使用する第５通信モジュールのうちの少なくとも一つ以上を含むことを特徴とする、請求項１に記載の有無線設備のインターフェースのためのＩｏＴ統合型データ処理装置。
【請求項４】
前記結合部は、
前記本体及び複数の前記通信モジュールのうちのいずれか一つの一側面に突出するフック部と、
前記本体及び複数の前記通信モジュールのうちの他の一つにおいて前記フック部と向い合う他側面に設けられ、前記フック部が締結されるように挿入される結合溝と、を含むことを特徴とする、請求項３に記載の有無線設備のインターフェースのためのＩｏＴ統合型データ処理装置。
【請求項５】
前記フック部は、
前記結合溝に向けて突出するフック部材と、
前記フック部材が結合又は離脱されるようにスライディング移動させるボタン部材と、
前記ボタン部材を結合又は離脱時にのみ加圧できるように外部を遮断するカバー部材と、を含むことを特徴とする、請求項４に記載の有無線設備のインターフェースのためのＩｏＴ統合型データ処理装置。
【請求項６】
前記結合部は、
前記本体及び複数の前記通信モジュールのうちのいずれか一つの一側面に突出するガイド部材と、
前記本体及び複数の前記通信モジュールのうちの他の一つにおいて前記ガイド部材と向い合う他側面に設けられ、前記本体と複数の通信モジュールとが結合される位置を案内するガイド溝と、を含むことを特徴とする、請求項４に記載の有無線設備のインターフェースのためのＩｏＴ統合型データ処理装置。
【請求項７】
前記本体及び複数の前記通信モジュールのうちのいずれか一つの一側面に備えられるメスケーブルと、前記本体及び複数の前記通信モジュールのうちの他の一つの他側面において前記メスケーブルに結合されるオスケーブルと、をさらに含み、
前記本体及び複数の前記通信モジュールは、前記ガイド部材と前記ガイド溝とが互いに結合される場合、前記メスケーブルと前記オスケーブルとが同時に接続されることを特徴とする、請求項６に記載の有無線設備のインターフェースのためのＩｏＴ統合型データ処理装置。
【請求項８】
前記本体及び複数の前記通信モジュールは、
設置位置に仮固定できるようにそれぞれの下面に備えられる締結部を含むことを特徴とする、請求項４に記載の有無線設備のインターフェースのためのＩｏＴ統合型データ処理装置。
【請求項９】
前記締結部は、
前記本体と複数の前記通信モジュールとを前記結合部を介して一体的に結合した後、これらを設置位置上に一体的に締結することを特徴とする、請求項８に記載の有無線設備のインターフェースのためのＩｏＴ統合型データ処理装置。
【請求項１０】
前記本体及び複数の前記通信モジュールは、それぞれ作動可能状態又は不能状態を表示する表示部を含むことを特徴とする、請求項３に記載の有無線設備のインターフェースのためのＩｏＴ統合型データ処理装置。
【請求項１１】
前記本体は、
外部から前記通信部に伝送されたデータを受け、これに対応する制御信号を制御部に伝送することを特徴とする、請求項１に記載の有無線設備のインターフェースのためのＩｏＴ統合型データ処理装置。
【発明の詳細な説明】
【技術分野】
【０００１】
本発明は、データ処理装置に関し、特に、長距離又は近距離無線通信を用いて、配電盤や分電盤などの作業領域から離れて配置される場所の作動状態をユーザーに伝送できる有無線設備のインターフェースのためのＩｏＴ統合型データ処理装置に関する。
【背景技術】
【０００２】
一般に、電力装置とは、配電盤、分電盤、受配電盤、低圧盤、高圧盤、変圧盤などを総称するものであって、主に、遮断器やマグネチックなどの電力素子を備え、外部の電力を開閉又は制御する装置をいう。
【０００３】
上記のような多くの電力装置の中でも、産業分野で最も広く用いられる電力装置である分電盤は、発電所、変電所などの運転や制御、電動機の運転などのために各種スイッチ、計器、リレー（継電器）などが必要とする電力容量に応じて多様に設置されるものであって、これは、主に、建築物などの屋内配線において、外部から供給される電力を配分して屋内の各要素に再供給すると同時に、供給電力を開閉する機能を担う。
【０００４】
このような分電盤を含むほとんどの電力装置は、荷重を支持する複数のフレームと、フレームをカバーする複数のパネルとを含んで構成され、内部に設置された各種電子機器を含み、そして、外部の環境から内部に設置された各種電子機器を保護する。
【０００５】
しかし、従来技術における電力装置のほとんどは、作業領域やユーザーの常住場所から離れた場所に配置される場合が多いため、内部で発生する多くの危険要素を一々検討するのに限界がある。
【０００６】
このような電力装置においては、漏水発生の危険があり、内部の換気が完全に行われるのに限界があるので、結露現象による誤作動又は火災の危険がある。また、乾燥した時期には内部でアークが発生することによる火災発生の危険があり、火災、地震又は電流や電圧の異常が発生したとしても、所定の時間が経過した後、問題が発生してから遅れて危険状況を認知し得るという問題がある。
【発明の概要】
【発明が解決しようとする課題】
【０００７】
本発明は、上記のような問題を解決するためのものであって、ユーザー（作業者）と有無線設備との間のインターフェースのためのＩｏＴ統合型データ処理装置を提供することを目的とする。
【課題を解決するための手段】
【０００８】
上記のような目的を達成するための本発明は、外部に接続された電源及びデータケーブルが結合される本体と、前記本体に選択的に結合され、無線でデータを送受信する通信部と、前記本体と通信部との間又は通信部を構成する複数の通信モジュールの間を着脱可能に結合させる結合部と、を含むことを特徴とする有無線設備のインターフェースのためのＩｏＴ統合型データ処理装置を提供する。
【０００９】
前記本体は、電力装置の内部に結合され、内部の温度、湿度、アーク、電流、電圧、火災、地震データを受けて前記通信部に伝達してもよい。
【００１０】
前記通信部は、ＲＳ−２３２、ＲＳ−４２２、及びＲＳ−４８５のうちの一つのインターフェースを使用する第１通信モジュール、ワイファイ（Ｗｉ−Ｆｉ（登録商標））インターフェースを使用する第２通信モジュール、ＣＤＭＡインターフェースを使用する第３通信モジュール、ブルートゥース（Ｂｌｕｅ−Ｔｏｏｔｈ（登録商標））インターフェースを使用する第４通信モジュール、及びジグビー（ＺｉｇＢｅｅ（登録商標））インターフェースを使用する第５通信モジュールのうちの少なくとも一つ以上を含むものでもよい。
【００１１】
前記結合部は、前記本体及び複数の前記通信モジュールのうちのいずれか一つの一側面に突出するフック部と、前記本体及び複数の前記通信モジュールのうちの他の一つにおいて前記フック部と向い合う他側面に設けられ、前記フック部が締結されるように挿入される結合溝とを含むものでもよい。
【００１２】
前記フック部は、前記結合溝に向けて突出するフック部材と、前記フック部材が結合又は離脱されるようにスライディング移動させるボタン部材と、前記ボタン部材を結合又は離脱時にのみ加圧できるように外部を遮断するカバー部材とを含むものでもよい。
【００１３】
前記結合部は、前記本体及び複数の前記通信モジュールのうちのいずれか一つの一側面に突出するガイド部材と、前記本体及び複数の前記通信モジュールのうちの他の一つにおいて前記ガイド部材と向い合う他側面に設けられ、前記本体と複数の通信モジュールとが結合される位置を案内するガイド溝とを含むものでもよい。
【００１４】
前記有無線設備のインターフェースのためのＩｏＴ統合型データ処理装置は、前記本体及び複数の前記通信モジュールのうちのいずれか一つの一側面に備えられるメスケーブルと、前記本体及び複数の前記通信モジュールのうちの他の一つの他側面において前記メスケーブルに結合されるオスケーブルとをさらに含み、前記本体及び複数の前記通信モジュールにおいては、前記ガイド部材とガイド溝とが互いに結合される場合、前記メスケーブルとオスケーブルとが同時に接続されてもよい。
【００１５】
前記本体及び複数の前記通信モジュールは、設置位置に仮固定できるようにそれぞれの下面に備えられる締結部を含むものでもよい。
【００１６】
前記締結部は、前記本体と複数の前記通信モジュールとを前記結合部を介して一体的に結合した後、これらを設置位置上に一体的に締結するものでもよい。
【００１７】
前記本体及び複数の前記通信モジュールは、それぞれ作動可能状態又は不能状態を表示する表示部を含むものでもよい。
【００１８】
前記本体は、外部から前記通信部に伝送されたデータを受け、これに対応する制御信号を制御部に伝送してもよい。
【発明の効果】
【００１９】
本発明による有無線設備のインターフェースのためのＩｏＴ統合型データ処理装置によると、以下の効果を奏する。
【００２０】
第一に、電力装置内部の状況をユーザーがリアルタイムで認識できるので、非常事態に対して迅速に対処することができる。
【００２１】
第二に、電力装置が設置された場所やユーザーとの距離に応じて必要な通信モジュールを選択的に適用できるので、費用を節約することができる。
【００２２】
第三に、通信モジュールの種類に応じてユーザーの環境に対応して選択的に適用できるので、組立性が増大する。
【００２３】
第四に、電力装置への結合又は電力装置からの離脱が容易であるか、又は本体と通信部との間の結合又は離脱が容易である。
【図面の簡単な説明】
【００２４】
【図１】本発明の実施例に係る有無線設備のインターフェースのためのＩｏＴ統合型データ処理装置を示す斜視図である。
【図２】図１に示した有無線設備のインターフェースのためのＩｏＴ統合型データ処理装置を分離して示す分離斜視図である。
【図３】図１に示した有無線設備のインターフェースのためのＩｏＴ統合型データ処理装置の本体を分解して示す分解図である。
【図４】図１に示した有無線設備のインターフェースのためのＩｏＴ統合型データ処理装置の通信部の一部分の内部を示す参考図である。
【図５】図１に示した有無線設備のインターフェースのためのＩｏＴ統合型データ処理装置の通信部の一部分を分解して示す分解図である。
【発明を実施するための形態】
【００２５】
以下では、本発明の好ましい実施例を、添付の図面を参照して当該分野における通常の知識を有する者が容易に実施できるように説明する。添付の各図面において構成に表記した図面番号は、他の図面でも同一の構成を表記する場合、他の図面でも可能な限り同一の図面番号を使用していることに留意されたい。また、本発明を説明するにおいて、関連する公知の機能又は公知の構成に関する具体的な説明が本発明の要旨を不明瞭にし得ると判断される場合は、それについての詳細な説明を省略する。そして、図面に提示されたいずれかの特徴は、説明を容易にするために拡大、縮小又は単純化されたものであって、図面及び各構成要素が必ずしも適切な割合で図示されてはいない。しかし、当業者であれば、このような詳細事項を容易に理解するだろう。
【００２６】
図１は、本発明の実施例に係る有無線設備のインターフェースのためのＩｏＴ統合型データ処理装置を示す斜視図であり、図２は、図１に示した有無線設備のインターフェースのためのＩｏＴ統合型データ処理装置を分離して示す分離斜視図である。
【００２７】
本発明の実施例に係る有無線設備のインターフェースのためのＩｏＴ統合型データ処理装置１００は、電力装置（図示せず）の内部に据え置かれる本体１１０と、本体１１０に選択的に結合され、無線でデータを送受信する通信部１２０と、本体１１０と通信部１２０との間又は通信部１２０を構成する各通信モジュール１２１、１２２、１２３、１２４、１２５の間を着脱可能に結合させる結合部１３０とを含む。
【００２８】
ここで、電力装置は、配電盤、受配電盤、分電盤、モーター制御盤及び太陽光接続盤のうち少なくともいずれか一つに該当する。
【００２９】
本体１１０には、外部に接続された電源及びデータケーブルが接続される。これを介して、電力装置内部の温度、湿度、アーク、電流、電圧、火災などのデータを受けることができ、また、地震が発生した場合、これに関連するデータを受けることもできる。もちろん、このようなデータを取得するために、図面には示していないが、センサーや測定機器が備えられてもよい。
【００３０】
そして、本体１１０には、外部から供給されるイーサネットケーブルが接続されたり、ＵＳＢポートなどが備えられたりしてもよい。
【００３１】
そして、通信部１２０は、ＲＳ−２３２、ＲＳ−４２２、及びＲＳ−４８５のうちの一つのインターフェースを使用する第１通信モジュール１２１、ワイファイ（Ｗｉ−Ｆｉ）インターフェースを使用する第２通信モジュール１２２、ＣＤＭＡインターフェースを使用する第３通信モジュール１２３、ブルートゥースインターフェースを使用する第４通信モジュール１２４、及びジグビーインターフェースを使用する第５通信モジュール１２５を含む。
【００３２】
本体１１０と通信部１２０とが結合される場合は、電力装置の位置及び電力装置とユーザーとの距離による通信の便宜のために第１通信モジュール１２１から第５通信モジュール１２５のうちいずれか一つ又は複数個が結合されてもよい。
【００３３】
第１通信モジュール１２１は、シリアル通信規格の一つであるＲＳ−２３２、高出力ＲＦコネクター関連規格であるＲＳ−２５９、データ直列伝送方式の規格であるＲＳ−４２２、不平衡直列インターフェースの規格であるＲＳ−４２３、及びＲＳ−２３２又はＲＳ−４２２の拡張バージョンとしてホームネットワークを支援する一種のシリアル通信プロトコル標準規格であるＲＳ−４８５のうちのいずれか一つを含んで構成される。
【００３４】
そして、第２通信モジュール１２２は、標準無線ＬＡＮの規格であるＩＥＥＥ  ８０２．１１、いわゆる、ワイファイ（Ｗｉ−Ｆｉ；ｗｉｒｅｌｅｓｓ  ｆｉｄｅｌｉｔｙ）で構成される。もちろん、ＩＥＥＥ  ８０２．１１のａ、ｂ、ｇ、ｎ、ａｃバージョンのうちの一つが適用されてもよく、伝送速度や伝送距離に応じて選択的に適用されてもよい。
【００３５】
そして、第３通信モジュール１２３は、デジタル方式のコード分割多元接続又は符号分割多元接続であるＣＤＭＡ（ｃｏｄｅ  ｄｉｖｉｓｉｏｎ  ｍｕｌｔｉｐｌｅ  ａｃｃｅｓｓ）インターフェース方式で構成される。また、ユーザーの使用地域（位置別、国家別）によってＴＤＭＡ（ｔｉｍｅ  ｄｉｖｉｓｉｏｎ  ｍｕｌｔｉｐｌｅ  ａｃｃｅｓｓ）インターフェース、すなわち、時分割多元接続方式が適用されてもよい。
【００３６】
そして、第４通信モジュール１２４は、近距離無線通信方式であるブルートゥースで構成される。これは、ユーザーとの距離が近い位置にある場合に適用されてもよい。
【００３７】
最後に、第５通信モジュール１２５は、ジグビーインターフェース方式であって、近距離通信を支援するＩＥＥＥ  ８０２．１５．４標準のうちの一つをいう。これは、無線ネットワーキング分野で１０ｍ〜２０ｍ前後の近距離通信及びユビキタスコンピューティングを支援するものであり、第４通信モジュールと比較して長い近距離無線通信が可能な場合に適用されてもよい。
【００３８】
このような通信部１２０は、電力装置の内部に設置された制御部（図示せず）から本体１１０に伝達されたデータをユーザーに伝達してもよく、また、反対に、ユーザーが通信部１２０に制御信号に対するデータを伝送し、制御部に制御信号に対する命令を提供することによってリモートコントロールを行うものでもよい。
【００３９】
図３は、図１に示した有無線設備のインターフェースのためのＩｏＴ統合型データ処理装置の本体を分解して示す分解図である。
【００４０】
図３を参照すると、本体１１０の内部には、パワーＰＣＢ基板とＣＰＵ  ＰＣＢ基板とが結合されるスロット（図示せず）が備えられる。そして、イーサネットケーブルとＵＳＢとが接続できるように少なくとも一つ以上のポートが備えられ、これらのポートを選択的に開閉できるカバー１１５が備えられる。
【００４１】
また、本体１１０の作動状態を知らせる表示部１１３が備えられる。ここで、表示部１１３は、エラー（ｅｒｒｏｒ）又はラン（ｒｕｎ）などの作動状態を簡単にＬＥＤランプで表示するものでもよく、又はディスプレイパネルを適用して示すものでもよい。
【００４２】
本体１１０の側面、すなわち、通信部１２０が結合される一側面にはオスケーブル１１１が配置される。したがって、本体１１０の一側面に通信部１２０が結合されると、本体１１０の一側面のオスケーブル１１１に対応して通信部１２０の他側面のメスケーブル１１２が締結される。以下では、本体１１０又は通信部１２０の一側面にオスケーブル１１１が配置され、他側面にメスケーブル１１２が配置された場合を一例として説明し、反対に、一側面にメスケーブルが配置され、他側面にオスケーブルが配置されてもよい。ここで、メスケーブル及びオスケーブルとしては、シリアルケーブルの９ピン又は直列ポートが適用可能である。
【００４３】
そして、本体１１０の下部には、電力装置の設置位置に仮固定できるように締結部１４０が備えられる。締結部１４０は、本体１１０の下部で弾力的にスライディング移動できるように備えられる。したがって、ユーザーが設置位置に本体１１０を締結すると、締結部１４０の弾性によって本体１１０の位置が仮固定され、位置が設定された後、ファスナーを通じて堅固に完全固定が行われる。もちろん、締結部１４０は、弾性による結合力のみでも十分な固定力を提供できるので、設置位置への固定が容易であるという効果を提供することができる。
【００４４】
締結部１４０は、本体１１０の下部にスライディング移動可能に結合される移動部材１４１と、移動部材１４１のスライディング移動状態を復元させる弾性部材１４２と、結合された状態の移動部材１４１と弾性部材１４２を本体の下部に固定させる固定部材１４３とを含む。そして、締結部１４０は、移動部材１４１と対向するように配置され、本体１１０の下部において移動部材１４１と共に結合力を提供する締結部材１４４を含む。したがって、まず、設置位置に締結部材１４４を結合させた後、移動部材１４１のスライディング移動によって本体１１０の固定が完了すると、移動部材１４１が元の位置に戻りながら締結が行われる。
【００４５】
図４は、図１に示した有無線設備のインターフェースのためのＩｏＴ統合型データ処理装置の通信部の一部分の内部を示す参考図であり、図５は、図１に示した有無線設備のインターフェースのためのＩｏＴ統合型データ処理装置の通信部の一部分を分解して示す分解図である。
【００４６】
図４及び図５を参照すると、通信部１２０は、第１通信モジュール１２１から第５通信モジュール１２５を含む。以下では、上記の参照符号と同一の参照符号は同一の構成要素を示す。
【００４７】
ここで、第１通信モジュール１２１から第５通信モジュール１２５は、それぞれの機能が異なっているが、これらの外形はほぼ同一であり、それぞれの第１通信モジュール１２１から第５通信モジュール１２５の結合又は方式及び形状は同一であるので、重複する説明は省略し、これらの結合又は離脱構成及び作用効果について詳細に説明する。
【００４８】
まず、結合部１３０は、本体１１０と通信モジュールとの間又は一つの通信モジュールと隣接する他の通信モジュールとの間に備えられる。したがって、結合部１３０は、本体１１０と通信部１２０とを側方向に結合させ、また、各通信モジュールと隣接する他の通信モジュールとを側方向に結合させる。
【００４９】
結合部１３０は、本体１１０又は通信モジュールの一側面に突出するフック部１３１と、本体１１０又は通信モジュールの他側面にフック部１３１が締結されるように形成された結合溝１３６とを含む。
【００５０】
そして、フック部１３１は、結合溝１３６に向けて突出するフック部材１３２と、フック部材１３２が結合又は離脱されるようにスライディング移動させるボタン部材１３３と、ボタン部材１３３のスライディング移動状態を元の位置に戻すコイルスプリング１３４と、ボタン部材１３３を結合又は離脱時にのみ加圧できるように外部を遮断するカバー部材１３５とを含む。
【００５１】
ここで、フック部１３１は、本体１１０又は各通信モジュールの一側面で両側にそれぞれ設けられる。したがって、ユーザーは、ボタン部材１３３を両側面から加圧し、フック部材１３２をスライディング移動させながら本体１１０又は各通信モジュールの他側面の両側にそれぞれ形成された結合溝１３６に結合したり、又は結合溝１３６から離脱したりすることができる。もちろん、フック部材１３２は、端部が傾斜面に形成され、結合時にはボタン部材１３３を押すことなく結合が可能な構造で形成されてもよい。
【００５２】
そして、結合部１３０は、本体１１０又は通信モジュールの一側面に突出するガイド部材１３７と、他側面にガイド部材１３７が挿入されるように形成されたガイド溝１３８とを含む。ユーザーが本体１１０と通信モジュール又は一つの通信モジュールと隣接する他の通信モジュールとを結合するとき、一側面のガイド部材１３７が向い合う他側面のガイド溝１３８に挿入されるように結合が行われる。したがって、結合部１３０は、フック部１３１と結合溝１３６とが締結力を維持し、これらの結合方向をガイド部材１３７及びガイド溝１３８が案内するので、正確な方向及び角度で結合が維持されるという効果を有する。
【００５３】
また、各通信モジュールの下部にも、本体１１０の締結部１４０と同一の締結部１４０が備えられる。締結部１４０は、通信部１２０の下部にスライディング移動可能に結合される移動部材１４１と、移動部材１４１のスライディング移動状態を復元させる弾性部材１４２と、結合された状態の移動部材１４１と弾性部材１４２を通信部１２０の下部に固定させる固定部材１４３とを含む。そして、締結部１４０は、移動部材１４１と対向するように配置され、通信部１２０の下部で移動部材１４１に対応する締結部材１４４を含む。したがって、まず、設置位置に締結部材１４４を結合させた後、移動部材１４１のスライディング移動によって通信部１２０の固定が完了すると、移動部材１４１が元の位置に戻りながら締結が行われる。
【００５４】
したがって、本体１１０と通信モジュールとが結合された状態でも、これらを締結部１４０を介して電力装置の設置位置に一体的に締結することができ、結合が容易であるという効果がある。
【００５５】
各通信モジュールにも、本体１１０と同様に、作動状態を知らせる表示部１１３が備えられる。ここで、表示部１１３は、エラー（ｅｒｒｏｒ）又はラン（ｒｕｎ）などの作動状態を簡単に示す。
【００５６】
このように、本発明の有無線設備のインターフェースのためのＩｏＴ統合型データ処理装置１００によると、電力装置内部の状況をリアルタイムでユーザーが認識できるので、非常事態に対して迅速に対処することができ、電力装置が設置された場所や電力装置とユーザーとの距離に応じて必要な通信モジュールを選択的に適用できるので費用を節約することができ、通信モジュールの種類に応じてユーザーの環境に対応して選択的に適用できるので組立性が増大し、電力装置への結合又は電力装置からの離脱が容易であるか、又は本体と通信部との間の結合又は離脱が容易であるという効果を期待することができる。
【００５７】
以上では、本発明の技術的思想を例示するために具体的な実施例を図示して説明したが、本発明は、上述したように具体的な実施例と同一の構成及び作用にのみ限定されるものではなく、本発明の範囲を逸脱しない限度で様々な変形が実施可能である。よって、そのような変形も本発明の範囲に属するものと見なすべきであり、本発明の範囲は後述する特許請求の範囲によって決定しなければならない。
【符号の説明】
【００５８】
１００    有無線設備のインターフェースのためのＩｏＴ統合型データ処理装置
１１０    本体
１２０    通信部
１３０    結合部
１４０    締結部
【図１】
2018129794.tif 000003
【図２】
2018129794.tif 000004
【図３】
2018129794.tif 000005
【図４】
2018129794.tif 000006
【図５】
2018129794.tif 000007